(57)【要約】【課題】  転倒ますなどの機器を局部保温して受水した雨水や雨を凍結させることなく計測できる節電型の雨雪量計を提供すること。【解決手段】  上方に向けて開口する受水器と、この受水器の下方に設けられる濾水器と、この濾水器からの水を受けて所定量が溜まると軸を支点として揺動し、前記水を排水口へ排水する転倒ますと、この転倒ますの揺動数から水の量を計測する計測手段とを備えた雨雪量計において、前記転倒ます、排水口の周囲を熱伝導の良い金属の伝熱板により覆う。そして、この伝熱板にヒータを接続すると共に、前記伝熱板の外側に前記転倒ます、排水口を覆うヒータカバーを設ける。【選択図】        図２
2005214771.tif 000002
【特許請求の範囲】
【請求項１】
上方に向けて開口する受水器と、この受水器の下方に設けられる濾水器と、この濾水器からの水を受けて所定量が溜まると軸を支点として揺動し、前記水を排水口へ排水する転倒ますと、この転倒ますの揺動数から水の量を計測する計測手段とを備えた雨雪量計において、
前記転倒ます、排水口の周囲の一部又は全部を覆うように熱伝導の良い伝熱板を設け、この伝熱板に一つ又は複数個のヒータを取付けると共に、前記伝熱板の外周にあって、少なくとも前記転倒ます、排水口を覆うヒータカバーを設けたことを特徴とする雨雪量計。
【請求項２】
前記受水器に熱伝導の良い伝熱板とヒータを取付けると共に、前記濾水器を支える濾水器取付板にヒータを取付けたことを特徴とする請求項１記載の雨雪量計。
【請求項３】
前記受水器は筒体に支えられ、また前記受水器以外の前記部品が底板に載置され、前記筒体が前記底板に嵌合すると共に、前記筒体の内側に保温材が取付けられ、また前記底板の外面にも保温材が取付けられたことを特徴とする請求項１記載の雨雪量計。
【発明の詳細な説明】
【技術分野】
【０００１】
この発明は、雨水や雪の量を計測する雨雪量計に関する。
【背景技術】
【０００２】
従来、雨雪量計は、上方に向けて開口する受水器と、この受水器の下方に設けられる濾水器と、この濾水器からの水を受けて所定量が溜まると軸を支点として揺動し、前記水を排水口へ排水する転倒ますと、この転倒ますの軸に設けられた磁石と、この磁石によりオン、オフされるリードスイッチと、このリードスイッチからのパルス信号にもとづいて計数する計数手段とより構成され、外気温が０℃以下となる冬場にあって、雨水や雪の凍結を防止するために、例えば特許文献１に示すように、受水器１の底面にヒータ８を設けていた。
【特許文献１】特開平５−２２３９５２号公報
【発明の開示】
【発明が解決しようとする課題】
【０００３】
当出願人が製造する雨雪量計では、凍結を防止するために、各部品（受水器、濾水器、転倒ます）が収納される筒体内にヒータを２ヶ所設けている。一ヶ所は受水器の近傍に、他は筒体の底板の上部に配し、気温が７℃以下になった時に、サーモスタットが作動して、電源が入るようになっている。
【０００４】
前記した２つのヒータにて、筒体内の全体、即ち転倒ます、受水器の周囲の広範囲に保温する必要があった。そのため、受水器の近傍のヒータは１５０Ｗ、底板上のヒータは１２０Ｗで、合計２７０Ｗの大きな容量で、当然ながら電力消費も大きくなっていた。
【０００５】
そこで、この発明は、局部保温により受水した雨水や雪を凍結させることなく計測できる節電型の雨雪量計を提供するものである。
【課題を解決するための手段】
【０００６】
この発明に係る雨雪量計は、上方に向けて開口する受水器と、この受水器の下方に設けられる濾水器と、この濾水器からの水を受けて所定量が溜まると軸を支点として揺動し、前記水を排水口へ排水する転倒ますと、この転倒ますの揺動数から水の量を計測する計測手段とを備えた雨雪量計において、前記転倒ます、排水口の周囲の一部又は全部を覆うように熱伝導の良い伝熱板を設け、この伝熱板に一つ又は複数個のヒータを取付けると共に、前記伝熱板の外周にあって、少なくとも前記転倒ます、排水口を覆うヒータカバーを設けたことにある（請求項１）。
【０００７】
これにより、転倒ます、排水口の周囲がヒータにて温められ、しかも、伝熱板にて該部品に伝えられ、さらにヒータカバーに覆われているので、該部品の周囲の温度の低下を防がれ、転倒ますの揺動の確保、排水口の排水が確保される。また前記ヒータカバーを上方へ伸ばして、濾水器まで覆うことにしても良い。
【０００８】
また、前記したように、転倒ます、排水口の周囲の保温ばかりでなく、前記受水器に熱伝導の良い伝熱板とヒータを取付けると共に、前記濾水器を支える濾水器取付板にヒータを取付けたことにある（請求項２）。このようにすれば、雨雪量計としては、受水器及び濾水器をも保温できて、完全に凍結の不具合から解消される。
【０００９】
さらに、前記受水器は筒体に支えられ、また前記受水器以外の前記部品が底板に載置され、前記筒体が前記底板に嵌合すると共に、前記筒体の内側に保温材が取付けられ、また前記底板の外面にも保温材が取付けられるようにしても良い（請求項３）。これにより、筒体内の保温性を高め、前述の局部的な保温の機能を高められる。
【発明の効果】
【００１０】
以上のように、この発明によれば、転倒ます、排水口の周囲を覆う伝熱板とヒータにて保温することができると共に、ヒータカバーにて周囲を覆うことから、これらの転倒ます、排水口を局部的に確実に保温することができる（請求項１）。また、請求項２に示すように、受水器や濾水器も保温すれば、気温の低下による凍結による不具合が防がれる。さらに、請求項３に示すように、筒体内を保温材で覆うことから、筒体内の保温効果を高め、もって、局所的な保温の機能を高めることができる。
【発明を実施するための最良の形態】
【００１１】
以下、この発明の実施例を図面に基づいて説明する。
【実施例１】
【００１２】
図１に雨雪量計１の断面図、図２に筒体２を底板３より取り外した状態の平面図及び図３に同上の斜視図が示されている。雨雪量計１は、円筒の筒体２の上方が開口しており、その上方に漏斗状の受水器５が開口からすこし入った位置に固設されている。したがって開口から入る雨水は受水器５により集められ、排出孔６より下記する濾水器１１に流出される。
【００１３】
受水器５は金属により製作され、その裏面（筒体２側）に熱伝導の良い銅などにより製造された伝熱板８が取付されている。そして、この伝熱板８と接触し、受水器５の裏面の全部にわたってヒータ９が取付られている。このヒータ９は電流が流れることにより発熱するタイプのもので、シリコンラバーヒータと称されるもので、箔エッチングタイプのもので、公知であり、発熱すると、伝熱板８を介して前記受水器５に伝えられる。このヒータ９は下記するサーモスタット３１にて制御されている。ちなにみ、この実施例では気温が１０℃にて通電される。
【００１４】
濾水器１１は、漏斗状で、金属製の濾水器保持板１２に支えられ、下記する転倒ます１６上にあり、雨水は排水孔１３より転倒ます１６に流出される。前記濾水器保持板１２は、その一面にヒータ１４が取付られており、発熱して前記濾水器保持板１２を介して前記濾水器１１に伝えられる。
【００１５】
転倒ます１６は、２つの受水部１６ａ，１６ｂを持ち、中心を揺動軸にて支えられ、一方の受水部に水が溜まると、その重さで揺動軸を支点として揺動するもので、揺動により雨水は下記する排水口１８ａ，１８ｂに排出される。この転倒ます１６の揺動により、前記揺動軸に固着の磁石が動かされ、１回の揺動によりリードスイッチを１回オンオフさせる。したがって、その揺動数が図示しない磁石とリードスイッチによる計測手段によりパルスとして検出され、パルスを計数することで水の量が検出される。
【００１６】
排水口１８ａ，１８ｂは、金属によりで製造された筒状のもので、前記転倒ます１６を挾んで対称位置に設けられ、排水口１８ａ，１８ｂには金属製の網１９が取付られている。排水口１８ａ，１８ｂ内に落下した雨水は外部へ排出される。
【００１７】
伝熱板２１は、熱の伝導の良い金属例えば銅により製造され、前記転倒ます、一対の排出口１８ａ，１８ｂの周囲を覆って、平面から見ると長円状となっている。この実施例では全周を覆っているが、一部でも良い。この伝熱板２１にヒータ２２が２個接触して取付られている。このヒータ２２の発熱が伝熱板２１を介して排出口１８ａ，１８ｂに伝えられ、そして転倒ます１６には、その周囲の温度を上昇させて保温が図られている。なお、ヒータ２２は、実施例では２個が設けられているが、１個でもまた、全面に設けても良い。このヒータ２２は、前述したヒータ９、ヒータ１４と同様に、サーモスタット３１により筒体２内で底板３に立設の制御され、気温が１０℃にて通電される。
【００１８】
ヒータカバー２４は、図４にも明らかなように、前記した伝熱板２１の外周に設けられ、前記排水口１８ａ，１８ｂ及び転倒ます１６を覆うように設けられ、その高さは、転倒ます１６が包まれる付近であるが、それ以上の高さにして前記した濾水器１１を包むようにしても良い。このヒータカバー２４により転倒ます１６及び排水口１８ａ，１８ｂの周囲温度の低下を防いでいる。即ち、局所保温が行われる。またこのヒータカバー２４は、前述の伝熱板２１及びヒータ２２の固定機能も兼ねている。
【００１９】
２６は、磁石やリードスイッチが収納されている計測手段収納部で、端子２７を備えている。
【００２０】
２９は、前記雨雪量計１を構成する筒体２の内面に取付けられた保温材、３０は底板３の外面に取付けられた保温材であり、筒体２の保温効果を高めて、前記した各部材の局部的な保温を効果ならしめる作用を行っている。
【００２１】
この雨雪量計１はＤＣ電源にて動かされるが、ＡＣ電源を利用する場合には、ＡＣ／ＤＣ変換用の電源３２を備えている。３３は雨雪量計１を支える足である。
【００２２】
上述の構成において、気温が１０℃以下に低下すると、サーモスタット３１がこれを感知して作動し、電源が入り、ヒータ９，１４，２２に通電され発熱される。ヒータ９は受水器５を裏面側から温め、ヒータ１４は濾水器保持板１２を介して濾水器１１を温める。
【００２３】
ヒータ２２は伝熱板２１を温め、これを介して排水口１８ａ，１８ｂを温める。そして、伝熱板２１から熱が周囲を温め、転倒ます１６を温める。特に転倒ます１６と排水口１８ａ，１８ｂをヒータカバー２４で覆っているので、熱が逃げにくく、局部的な保温を可能にする。この実施例では、３２Ｗ（ＤＣ１２Ｖ）という省電力で、気温が−１５℃まで、受水した雨雪を凍結させることなく計測することができる。
【図面の簡単な説明】
【００２４】
【図１】この発明に係る雨雪量計の縦断面図である。
【図２】同上の筒体を底板から取り外した状態時の平面図である。
【図３】同上の斜視図である。
【図４】排水口と転倒ますを覆む伝熱板とヒータとそれを包むヒータケースの関係を示す断面図である。
【符号の説明】
【００２５】
１  雨雪量計
２  筒体
３  底板
５  受水器
８  伝熱板
９  ヒータ
１１  濾水器
１２  濾水器保持板
１４  ヒータ
１６  転倒ます
１８ａ，１８ｂ  排水口
２１  伝熱板
【図１】
2005214771.tif 000003
【図２】
2005214771.tif 000004
【図３】
2005214771.tif 000005
【図４】
2005214771.tif 000006